(57)【要約】【課題】景品自動払出し機を用いずに、従業員による提供景品数のミスを防止できるシステムを構築すること。【解決手段】本発明に係る提供景品数チェックシステム２０は、遊技者が獲得したパチンコ玉数に応じた数の景品６２等を、遊技場従業員が景品保管場所６０から取出して当該遊技者に提供する遊技場Ａで用いられる。ＰＯＳコンピュータ５０は、遊技者が獲得したパチンコ玉数から当該遊技者が受領可能な景品数を特定して表示するとともに、遊技場従業員が景品保管場所６０から取出した景品数を計測する。【選択図】  図１
2005034198.tif 000002
【特許請求の範囲】
【請求項１】
遊技者が獲得した遊技媒体数に応じた数の景品を、遊技場従業員が景品保管場所から取出して当該遊技者に提供する遊技場で用いられるシステムであり、
遊技者が獲得した遊技媒体数から当該遊技者が受領可能な景品数を特定する景品数特定装置と、遊技場従業員が景品保管場所から取出した景品数を計測する景品数計測装置とを備える提供景品数チェックシステム。
【請求項２】
前記景品数特定装置で特定された景品数と、前記景品数計測装置で計測された景品数が一致しない場合に報知する手段を備える請求項１の提供景品数チェックシステム。
【請求項３】
景品毎に、その景品を特定するＩＤを外部から読取可能に記憶している特定ＩＤ記憶手段が付加されており、
前記景品数計測装置は、遊技場従業員が景品保管場所から取出した景品の特定ＩＤを読取る特定ＩＤリーダーと、
特定ＩＤリーダーで読取られた特定ＩＤに基づいて、遊技場従業員が景品保管場所から取出した景品数を特定する特定手段とを有することを特徴とする請求項１又は２の提供景品数チェックシステム。
【請求項４】
遊技場従業員が景品保管場所から取出した景品が載置される景品載置台を備え、
前記特定ＩＤリーダーは、景品載置台に載置された景品の特定ＩＤを読取り、
前記特定手段は、景品載置台に景品が載置されている状態から載置されていない状態になると、前記特定ＩＤリーダーで読取られた特定ＩＤに基づいて、遊技場従業員が景品保管場所から取出した景品数を特定することを特徴とする請求項３の提供景品数チェックシステム。
【請求項５】
前記景品数計測装置は、遊技場従業員が景品保管場所から取出した景品の重量を計測する重量計測手段と、
景品の単位重量を記憶している単位重量記憶手段と、
重量計測手段で計測された重量を景品の単位重量で除した値に相当する値を算出する手段とを有することを特徴とする請求項１又は２の提供景品数チェックシステム。
【請求項６】
景品提供場所に遊技者が存在することを検知する遊技者検知手段を備え、
景品毎に、その景品を特定するＩＤを外部から読取可能に記憶している特定ＩＤ記憶手段が付加されており、
前記景品数計測装置は、景品保管場所に保管されている各景品の特定ＩＤを読取る特定ＩＤリーダーと、
景品提供場所に遊技者が存在しはじめたときの「特定ＩＤリーダーで読取られた特定ＩＤ群」と、景品提供場所に当該遊技者が存在しなくなったときの「特定ＩＤリーダーで読取られた特定ＩＤ群」とに基づいて、遊技場従業員が景品保管場所から取出した景品数を特定する特定手段とを備えることを特徴とする請求項１又は２の提供景品数チェックシステム。
【請求項７】
遊技場従業員が景品保管場所から取出した景品が載置される景品載置台と、景品載置台に載置された景品数を計測する載置景品数計測装置とを備えることを特徴とする請求項６の提供景品数チェックシステム。
【請求項８】
複数種類の景品が存在する場合に用いられる請求項１から６のいずれかの提供景品数チェックシステムであり、
前記景品数特定装置は、景品種類毎の景品数を特定し、
前記景品数計測装置は、景品種類毎に、遊技場従業員が景品保管場所から取出した当該景品種類の景品数を計測することを特徴とする請求項１から７のいずれかの提供景品数チェックシステム。
【発明の詳細な説明】
【０００１】
【発明の属する技術分野】本発明は、遊技者が獲得した遊技媒体数に応じた数の景品を遊技者に提供する遊技場で用いられるシステムに関する。特に、遊技者に提供される景品数をチェックするためのシステムに関する。
【０００２】
【従来の技術】まず、遊技場において、遊技者が遊技台で遊技してから景品を受領するまでの過程の一例について簡単に説明しておく。
遊技者は、遊技している遊技台から払出された遊技媒体数を計数機に流し込む。計数機は、流し込まれた遊技媒体数を計数し、計数された遊技媒体数を記録したレシート（又はカード）を発行する。遊技者は、発行されたレシートを景品提供場所（例えば景品交換カウンター）にいる従業員に渡す。景品提供場所には、レシートに記録された遊技媒体数から遊技者が受領可能な景品数を計算し、計算された景品数を表示する装置が設置されている。従業員は、表示装置に表示された数の景品を景品保管場所から取出して遊技者に提供する。
【０００３】
上記のようにして遊技者に景品を提供する遊技場では、従業員が、表示装置に表示された景品数と異なる数の景品を景品保管場所から取出して遊技者に提供してしまうミスが起こる。
特許文献１には、従業員によるミスを防止できる技術が開示されている。特許文献１の景品払出し機は、レシートに記録された遊技媒体数から遊技者が受領可能な景品数を計算し、計算された景品数を遊技者に自動的に払出す。この景品払出し機を用いると、従業員による人的ミスが生じないために、正確な数の景品を遊技者に提供できる。
【０００４】
【特許文献１】
特公平７−７９８７７号
【０００５】
【発明が解決しようとする課題】特許文献１の景品払出し機を導入するためには大きな設置スペースが必要である。従って、景品払出し機を導入しようとする遊技場は、景品払出し機を設置するためのスペースを確保する必要があり、設置スペースを確保できないならば導入を諦めるしかない。
【０００６】
本発明は、上記した実情に鑑みてなされたものであり、景品払出し機を用いずに、誤った数の景品を提供してしまうというミスを防止できる技術を提供することを目的とする。
【０００７】
【課題を解決するための手段と作用と効果】上記課題を解決するために創作された提供景品数チェックシステムは、遊技者が獲得した遊技媒体数に応じた数の景品を、遊技場従業員が景品保管場所から取出して当該遊技者に提供する遊技場で用いられる。このシステムは、遊技者が獲得した遊技媒体数から当該遊技者が受領可能な景品数を特定する景品数特定装置と、遊技場従業員が景品保管場所から取出した景品数を計測する景品数計測装置とを備える。
このシステムは、景品数特定装置によって、例えばレシート等に記録された「遊技者が獲得した遊技媒体数」から当該遊技者が受領可能な景品数が特定される。従業員は、特定された景品数を景品保管場所から取出して遊技者に提供することができる。このとき、景品保管場所から取出された景品数が計測されるために、計測された「景品保管場所から取出された景品数」と景品数特定装置で特定された「遊技者が受領可能な景品数」とを比較することができる。このため、「遊技者が受領可能な景品数」と異なる数の景品を遊技者に提供してしまうというミスを防止できる。このシステムを用いると、景品払出し機を用いずにミスを防止できる。
【０００８】
上記のシステムにおいて、前記の景品数特定装置で特定された景品数と、前記の景品数計測装置で計測された景品数が一致しない場合に報知する手段を付加することが好ましい。
このようにすると、誤った数の景品を提供するミスを効果的に防止できる。報知の態様としては、音、光、表示等による報知を採用することができる。
【０００９】
上記のシステムにおいて、景品毎に、その景品を特定するＩＤを外部から読取可能に記憶している特定ＩＤ記憶手段を付加してもよい。この場合、前記の景品数計測装置が、遊技場従業員が景品保管場所から取出した景品の特定ＩＤを読取る特定ＩＤリーダーと、特定ＩＤリーダーで読取られた特定ＩＤに基づいて、遊技場従業員が景品保管場所から取出した景品数を特定する特定手段とから構成されてもよい。
特定ＩＤリーダーは、遊技場従業員が景品保管場所から取出した各景品の特定ＩＤを読取る。特定手段は、例えば、読取られた特定ＩＤの数をカウントすることによって、遊技場従業員が景品保管場所から取出した景品数を特定する。
このシステムによると、景品保管場所から取出された景品数を精度よく計測できる。
なお、ここでの景品数計測装置は、景品に付された特定ＩＤを読取ることによって「景品保管場所から取出された景品数」を計測するものだが、他の手法を用いて景品数を計測してもよい。例えば、景品保管場所と景品提供場所（遊技者が景品提供サービスを受ける場所）との間に、景品保管場所から景品提供場所まで運ばれる景品を検知する装置を設ける。この装置に検知された景品数をカウントすることによって、「景品保管場所から取出された景品数」を計測することができる。このようにする場合は、景品毎に検知対象物を付加しておけばよく、景品毎に特定ＩＤを付加する必要がない。
また、上記のシステムにおいて、特定ＩＤリーダーで読取られた特定ＩＤを記号や文字等に変換するようにしてもよい。この場合、特定手段が、変換された記号等に基づいて景品数を特定すること（例えば、変換された記号等の数をカウントすること）は、特定ＩＤリーダーで読取られた特定ＩＤに基づいて景品数を特定することと等価である。
【００１０】
上記のシステムでは、遊技場従業員が景品保管場所から取出した景品が載置される景品載置台を備えるようにしてもよい。この場合、前記の特定ＩＤリーダーは、景品載置台に載置された景品の特定ＩＤを読取る。そして、前記の特定手段は、景品載置台に景品が載置されている状態から載置されていない状態になると、前記の特定ＩＤリーダーで読取られた特定ＩＤに基づいて、遊技場従業員が景品保管場所から取出した景品数を特定する。
遊技場従業員は、景品保管場所から取出した景品を景品載置台に一旦載置する。すると、景品載置台に載置された景品の特定ＩＤが特定ＩＤリーダーで読取られる。ここで、景品載置台に載置された全ての景品の特定ＩＤを特定ＩＤリーダーが読取る前に特定手段が景品数を特定するようにすると、景品保管場所から取出された景品数を精度よく計測できない。即ち、景品保管場所から実際に取出された景品数よりも少ない景品数が特定手段によって特定されてしまう。
本発明では、景品載置台に景品が載置されている状態から載置されていない状態になったときに特定手段によって景品数が特定される（例えば、読取られた特定ＩＤの数をカウントする）ために、景品載置台に載置された全景品数を精度よく計測できる。
【００１１】
また、上記のシステムにおいて、前記の景品数計測装置が、遊技場従業員が景品保管場所から取出した景品の重量を計測する重量計測手段と、景品の単位重量を記憶している単位重量記憶手段と、重量計測手段で計測された重量を景品の単位重量で除した値に相当する値を算出する手段とから構成されてもよい。
このようにしても、遊技場従業員が景品保管場所から取出した景品数を精度よく計測することができる。
【００１２】
また、上記のシステムにおいて、景品毎に、その景品を特定するＩＤを外部から読取可能に記憶している特定ＩＤ記憶手段を付加してもよい。さらに、景品提供場所に遊技者が存在することを検知する遊技者検知手段を備えるようにしてもよい。この場合、前記の景品数計測装置が、景品保管場所に保管されている各景品の特定ＩＤを読取る特定ＩＤリーダーと、特定手段から構成されてもよい。この特定手段は、景品提供場所に遊技者が存在しはじめたときの「特定ＩＤリーダーで読取られた特定ＩＤ群」と、景品提供場所に当該遊技者が存在しなくなったときの「特定ＩＤリーダーで読取られた特定ＩＤ群」とに基づいて、遊技場従業員が景品保管場所から取出した景品数を特定する。
景品提供場所に遊技者が存在しはじめたときの「特定ＩＤリーダーで読取られた特定ＩＤ群」（以下では第１特定ＩＤ群という）は、遊技場従業員が景品保管場所から景品を取出す前に景品保管場所に存在する各景品の特定ＩＤである。景品提供場所に遊技者が存在しなくなったときの「特定ＩＤリーダーで読取られた特定ＩＤ群」（以下では第２特定ＩＤ群という）は、遊技場従業員が景品保管場所から景品を取出した後に景品保管場所に存在する各景品の特定ＩＤである。従って、例えば、第１特定ＩＤ群に含まれていて第２特定ＩＤ群に含まれていない特定ＩＤの数をカウントすることによって、遊技場従業員が景品保管場所から取出した景品数を得ることができる。このシステムでは、遊技場従業員によって景品保管場所から取出された景品数を、景品の在庫から計測することができる。
このシステムによっても、景品保管場所から取出された景品数を精度よく計測できる。
【００１３】
景品保管場所から取出された景品数を景品の在庫から計測する上記のシステムでは、遊技場従業員が、景品保管場所から取出した景品を着服し、遊技者が受領可能な景品数よりも少ない景品数を遊技者に提供するといった不正を防止できない。そこで、次のシステムを構築することが好ましい。即ち、上記のシステムに、遊技場従業員が景品保管場所から取出した景品が載置される景品載置台と、景品載置台に載置された景品数を計測する載置景品数計測装置を付加する。
このシステムによると、景品数特定装置によって「遊技者が受領可能な景品数」が特定され、景品数計測装置によって「景品保管場所から取出された景品数」が計測され、載置景品数計測装置によって「景品載置台に載置された景品数（遊技者に提供される直前の景品数）」が計測される。もし、遊技場従業員が景品を着服した場合は、「景品保管場所から取出された景品数」よりも「景品載置台に載置された景品数」が少なくなる。「景品保管場所から取出された景品数」と「景品載置台に載置された景品数」を比較できる本システムによると、遊技場従業員による景品の着服を防止できるようになる。
なお、載置景品数計測装置は、次のようにして構成されてもよい。
（１）例えば、景品載置台に載置された景品の特定ＩＤを読取る特定ＩＤリーダーと、読取られた特定ＩＤに基づいて景品載置台に載置された景品数を特定する手段を設けることによって、載置景品数計測装置を構成するようにしてもよい。これは、例えば請求項３等の構成を利用することができる。
（２）前記の載置景品数計測装置は、景品載置台に載置された景品の重量を計測する重量計測手段と、景品の単位重量を記憶している単位重量記憶手段と、重量計測手段で計測された重量を景品の単位重量で除した値に相当する値を算出する手段とから構成されてもよい。即ち、請求項５の構成を利用することができる。
【００１４】
なお、上記の各システムは、複数種類の景品が存在する場合に用いられてもよい。この場合、前記の景品数特定装置は、景品種類毎の景品数を特定し、前記の景品数計測装置は、景品種類毎に、遊技場従業員が景品保管場所から取出した当該景品種類の景品数を計測する。
このようにすると、景品種類毎に、「遊技者が受領可能な景品数」と、「景品保管場所から取出された景品数」を比較できるようになる。
このシステムを構成するための具体的な構成要素の一例を示しておく。
（１）特定ＩＤを読取ることによって、「景品保管場所から取出された景品数」を計測する場合（請求項３等の場合）；
前記の景品数特定装置は、景品種類毎の景品数を特定する。前記の景品数計測装置は、特定ＩＤと景品種類とを対応づけて記憶している特定ＩＤ−景品種類記憶手段を有する。前記の特定手段は、景品種類毎に、特定ＩＤリーダーで読取られた「当該景品種類と対応づけられている特定ＩＤ」の数をカウントする。
（２）景品重量から「景品保管場所から取出された景品数」を計測する場合（請求項５等の場合）；
前記の景品数特定装置は、景品種類毎の景品数を特定する。前記の重量計測手段は、景品種類毎の重量を計測する。前記の単位重量記憶手段は、景品種類毎の単位重量を記憶している。前記の算出手段は、景品種類毎に、前記の重量計測手段で計測された当該景品種類の重量を、当該景品種類の単位重量で除した値に相当する値を算出する。
（３）景品の在庫から「景品保管場所から取出された景品数」を計測する場合（請求項６等の場合）；
前記の景品数特定装置は、景品種類毎の景品数を特定する。前記の景品数計測装置は、特定ＩＤと景品種類とを対応づけて記憶している特定ＩＤ−景品種類記憶手段を有する。そして、前記の特定手段は、景品種類毎に、前記の第１特定ＩＤ群に含まれていて前記の第２特定ＩＤ群に含まれていない特定ＩＤの数をカウントする。
【００１５】
【発明の実施の形態】まず、下記の実施例に記載の技術の主要な特徴をまとめておく。
（形態１）遊技者が獲得した遊技媒体数は、その遊技者が所有する会員カードに記録される。
（形態２）ＰＯＳコンピュータは、会員カードに記録されている遊技媒体数を読取り、読取った遊技媒体数から「遊技者が受領可能な景品種類毎の景品数」を表示する。
（形態３）遊技場の景品交換エリアには遊技場従業員が配備される。この遊技場従業員は、景品保管場所から取出した景品（景品群）の特定ＩＤを無線通信によって読取るＩＤリーダーを携帯する。
（形態４）ＩＤリーダーで読取られた特定ＩＤは無線通信によってＰＯＳコンピュータに送信される。ＰＯＳコンピュータは、ＩＤリーダーから送信された特定ＩＤに基づいて「景品保管場所から取出された景品種類毎の景品数」をカウントする。
（形態５）ＰＯＳコンピュータは、景品種類毎に、その景品種類の「遊技者が受領可能な景品数」と、その景品種類の「景品保管場所から取出された景品数」を比較する。そして、全ての景品種類について「遊技者が受領可能な景品数」と「景品保管場所から取出された景品数」が一致しなければ報知する。
（形態６）景品交換カウンタ（景品載置台）に載置された景品の重量を検知する装置を設ける。この装置は、所定値以上の重量を検知している場合はｈｉｇｈ状態の信号を出力し、所定値以下の重量を検知している場合はｌｏｗ状態の信号を出力する。この信号のレベルを監視することによって、景品交換カウンタに景品が載置されていることを検知できる。
（形態７）景品交換カウンタには、景品種類毎に置き台が設置される。各置き台は、載置される景品種類が決められている。各置き台は、載置された景品の重量を測定する。各置き台は、自身を特定するＩＤ（置き台ＩＤ）と、測定された重量を対応づけてＰＯＳコンピュータに送信する。ＰＯＳコンピュータには、置き台ＩＤとその置き台に載置される景品種類の単位重量とが対応づけて記憶されている。ＰＯＳコンピュータは、置き台から送信された「置き台ＩＤ‐重量」と、その置き台ＩＤに対応づけられている単位重量から、その置き台に載置された景品数を計算する（置き台から送信された重量を単位重量で除する）。
（形態８）景品交換カウンタの前方には重量センサ（遊技者検知手段）が設置される。重量センサは、所定値以上の重量を検知している場合はｈｉｇｈ状態の信号を出力し、所定値以下の重量を検知している場合はｌｏｗ状態の信号を出力する。この信号のレベルを監視することによって、景品交換カウンタの前に遊技者が存在することを検知できる。
【００１６】
【実施例】
（第１実施例）  図面を参照して、本発明に係る提供景品数チェックシステムの実施例を説明する。図１に、提供景品数チェックシステム２０の概略図を示す。提供景品数表示システム２０は遊技場Ａで用いられる。遊技場Ａは、遊技エリア２と景品交換エリア４の２つのエリアに大別できる。遊技エリア２には、複数の遊技台３１，３２…（…は複数を示す）が設置された遊技島３０と、パチンコ玉収容器３８と、計数機４０が配置されている
各遊技台３１，３２…は、パチンコ玉を遊技媒体とするパチンコ機である。遊技者は、遊技台３１等にパチンコ玉を投入することによって遊技する。遊技台３１等からは所定の条件が成立するとパチンコ玉が払出される（遊技者はパチンコ玉を獲得できる）。
パチンコ玉収容器３８は、各遊技台３１，３２…から払出されたパチンコ玉を収容する容器である。
遊技者は、遊技台３１等で獲得したパチンコ玉をパチンコ玉収容器３８に収容する。パチンコ玉収容器３８に収容されたパチンコ玉は、計数機４０に流し込まれる。計数機４０は、流し込まれたパチンコ玉数を計数する。計数機４０には会員カード４２の挿入口４０ａが設けられている。会員カード４２とは、遊技場Ａが遊技者に対して発行するカードである。遊技者は、計数機４０でパチンコ玉が計数されると、会員カード挿入口４０ａに会員カード４２を挿入する。計数機４０は、計数されたパチンコ玉数（即ち遊技者が遊技台３１等で獲得したパチンコ玉数）を会員カード４２に記憶させる。
【００１７】
景品交換エリア４には、景品交換カウンタ９０と、ＰＯＳコンピュータ（以下ではＰＯＳと簡単に記載する）５０と、景品保管場所６０と、ＩＤリーダー７０が配置されている。
景品交換カウンタ９０は、ヒトの腰と同程度の高さの台である。この景品交換カウンタ９０の傍には遊技場Ａの従業員が常時配備されている。景品交換カウンタ９０に配備された従業員は、遊技者に景品を提供するサービスを行なう。
ＰＯＳ５０は、景品を提供する際に使用されるコンピュータである。ＰＯＳ５０は、表示部５２等を有している。また、ＰＯＳ５０には、会員カード４２の挿入口５８ａが設けられている。また、ＰＯＳ５０は、図１では図示省略しているが、音発生部５４と無線受信部５６と玉数読取部５８と制御部１２０を有している（これらは図５に示されている）。これらの機能については、後で詳しく説明する。
【００１８】
景品保管場所６０には、複数種類の景品６２，６４，６４が、景品種類毎に複数保管されている。本実施例では、３種類の６２，６４，６４が存在する。以下では、符号６２が付された景品を大景品といい、符号６４が付された景品を中景品といい、符号６６が付された景品を小景品という。大景品６２が最も大きく、小景品６６が最も小さい。中景品６４は、大景品６２より小さく小景品６６より大きい。各景品６２，６４，６６には、ＩＤ記憶装置６２ａ，６４ａ，６６ａが備えられている。ＩＤ記憶装置６２ａ，６４ａ，６６ａの構成については後で説明する。
ＩＤリーダー７０は、上記したＩＤ記憶装置６２ａ等に記憶されているＩＤを読取ることができる。ＩＤリーダー７０は、カウンタ９０に配備された従業員が携帯できるほどの大きさである。ＩＤリーダー７０の詳しい構成については後で説明する。
【００１９】
ここでは、大景品６２に備えられたＩＤ記憶装置６２ａの構成について説明する。図２には、ＩＤ記憶装置６２ａの構成が模式的に示されている。ＩＤ記憶装置６２ａは、信号処理部８０と無線送受信部８２とＩＤ記憶部８４と電源部８６を有している。
信号処理部８０は、ＩＤ記憶装置６２ａの動作を統括的に制御する。具体的な制御内容は後で説明する。
無線送受信部８２は、ＩＤリーダー７０から出力された特定ＩＤ要求信号（これについては後で詳しく説明する）を無線通信によって受信する。また、無線送受信部８２は、ＩＤ記憶部８４に記憶されている特定ＩＤを無線通信によって送信する。この無線送受信部８２には、いわゆるＢｌｕｅｔｏｏｔｈモジュールを（ワイヤレス通信モジュール）を利用することができる。
ＩＤ記憶部８４は、個々の大景品６２を特定するＩＤ（特定ＩＤ）を記憶している。特定ＩＤは、複数の大景品６２のそれぞれに与えられる。即ち、大景品毎に特定ＩＤが異なる。同様に、特定ＩＤは、中景品毎に与えられるとともに、小景品毎に与えられる。
電源部８６は、ＩＤ記憶装置６２ａを機能させるための電力を貯蔵している。なお、他の大景品６２に備えられたＩＤ記憶装置６２ａ、中景品６４に備えられたＩＤ記憶装置６４ａ、及び小景品６６に備えられたＩＤ記憶装置６６ａのそれぞれも、ここで説明した構成と同様である。各ＩＤ記憶装置６２ａ，６４ａ，６６ａは、記憶している特定ＩＤが異なるだけである。
【００２０】
続いて、ＩＤリーダー７０の構成について説明する。図３に、ＩＤリーダー７０の正面図を示している。ＩＤリーダー７０は、特定スイッチ７２と表示部７４と数字キー７６と無線送受信部（アンテナ）７８等を有している。
特定スイッチ７２は、種々の状況で操作されるキーである。どのような状況で操作されるかは後で説明する。
表示部７４は種々の情報を表示可能である。
数字キー７６は、数字を入力することができるキーである。
無線送受信部７８は、ＩＤ記憶装置６２ａ，６４ａ，６６ａやＰＯＳ５０に対して種々の情報を無線通信によって送信することができる。また、無線送受信部７８は、ＩＤ記憶装置６２ａ，６４ａ，６６ａから送信された特定ＩＤを受信することができる。
また、ＩＤリーダー７０は、図３では図示省略しているが制御部１００を有している（制御部１００は図４に示されている）。制御部１００については次で説明する。
【００２１】
図４に、ＩＤリーダー７０の制御構成が示されている。制御部１００は、ＣＰＵ１０２とＲＯＭ１０４とＲＡＭ１０６とＩ／Ｏインターフェイス１０８から構成される。ＣＰＵ１０２、ＲＯＭ１０４、及びＲＡＭ１０６と、Ｉ／Ｏ１０８は信号線１１０によって通信可能に接続されている。Ｉ／Ｏ１０８と無線送受信部７８は信号線１１２によって通信可能に接続されている。Ｉ／Ｏ１０８と操作部（特定スイッチ７２と数字キー７６）は信号線１１４によって通信可能に接続されている。Ｉ／Ｏ１０８と表示部７４は信号線１１６によって通信可能に接続されている。
ＣＰＵ１０２は、ＲＯＭ１０４に記憶されている制御プログラムに従って、ＩＤリーダー７０の動作を統括的に制御する。
ＲＯＭ１０４に記憶されている制御プログラムの中には、無線送受信部７８で受信した情報を取り込んでＲＡＭ１０６に記憶させる処理や、操作部７２，７６に入力された情報に基づいて無線送受信部７８から信号を出力する処理や、表示部７４の表示制御処理等を実行するためのプログラムが含まれる。
ＲＡＭ１０６は、ワークメモリとして使用されるメイン記憶素子であって種々の情報を記憶する。例えば、無線送受信部７８で受信した特定ＩＤを記憶する。
【００２２】
続いて、ＰＯＳ５０の構成について説明する。図５に、ＰＯＳ５０の構成を模式的に示している。ＰＯＳ５０は、表示部５２と音発生部５４と無線受信部５６と玉数読取部５８と制御部１２０等を有している。
表示部５２には各種情報が表示される。例えば、玉数読取部５８で読取られた玉数から算出された景品数が表示される。この表示部５２は、景品交換カウンタ９０に配備された従業員が表示内容を視認できるように設置されている。
音発生部５４は、警告音を発生させることができる。どのようにして警告音が発生するかについては後で説明する。
無線受信部５６は、ＩＤリーダー７０から送信された情報を無線通信によって受信する。
玉数読取部５８は、会員カード挿入口５８ａに挿入された会員カード４２に記憶されている玉数を読取る。
【００２３】
制御部１２０は、ＣＰＵ１２２とＲＯＭ１２４とＲＡＭ１２６とＩ／Ｏインターフェイス１２８等を有している。ＣＰＵ１２２、ＲＯＭ１２４、及びＲＡＭ１２６と、Ｉ／Ｏ１２８は信号線１３０によって通信可能に接続されている。Ｉ／Ｏ１２８と表示部５２は、信号線１３２によって通信可能に接続されている。Ｉ／Ｏ１２８と音発生部５４は、信号線１３４によって通信可能に接続されている。Ｉ／Ｏ１２８と無線受信部５６は、信号線１３６によって通信可能に接続されている。Ｉ／Ｏ１２８と玉数読取部５８は、信号線１３８によって通信可能に接続されている。
ＣＰＵ１２２は、ＲＯＭ１２４に記憶されている制御プログラムに従って、ＰＯＳ５０の動作を統括的に制御する。
ＲＯＭ１２４に記憶されている制御プログラムの中には、無線受信部５６で受信された特定ＩＤから「従業員が景品保管場所６０から取出した景品数」を算出する処理や、玉数読取部５８で読取られた玉数から「遊技者が受領可能な景品数」を算出する処理や、算出された景品数を表示部５２に表示させる処理等を実行するためのプログラムが含まれる。また、ＲＯＭ１２４には、特定ＩＤと景品種類が対応づけて記憶されている。例えば、特定ＩＤ０００００〜１９９９９は大景品６２であり、特定ＩＤ２００００〜３９９９９は中景品６４であり、特定ＩＤ４００００〜５９９９９は小景品６６であるといった情報を記憶している。
ＲＡＭ１２６は、ワークメモリとして使用されるメイン記憶素子であって種々の情報を記憶する。
【００２４】
次に、ＩＤ記憶装置６２ａの信号処理部８０が実行する処理について説明する。なお、他のＩＤ記憶装置６４ａ，６６ａも同様の処理を実行する。図６には、信号処理部８０が実行する処理のフローチャートが示されている。
信号処理部８０は、ＩＤリーダー７０から特定ＩＤ要求信号が送信されたか否かを常時監視している（ステップＳ２）。この処理は、無線送受信部８２において特定ＩＤ要求信号を受信した場合にＹＥＳとされる。
特定ＩＤ要求信号を受信した場合（ステップＳ２でＹＥＳの場合）は、ＩＤ記憶部８４に記憶している特定ＩＤを無線送受信部８２から送信する（ステップＳ４）。これによりＩＤリーダー７０は、ＩＤ記憶装置６２ａの特定ＩＤを受信することができる。
【００２５】
続いて、ＩＤリーダー７０の制御部１００が実行する処理について説明する。図７に、制御部１００が実行する処理のフローチャートが示されている。制御部１００は、従業員によって特定スイッチ７２が操作されたか否かを監視している（ステップＳ１０）。
特定スイッチ７２が操作された場合（ステップＳ１０でＹＥＳの場合）は、特定ＩＤ要求信号を送信する（ステップＳ１２）。これにより、景品６２等から特定ＩＤが送信されることになる。なお、この特定ＩＤ要求信号の送信範囲は１ｍ程度である。従って、ＩＤリーダー７０の周囲１ｍ以内に存在する景品６２等からは特定ＩＤが送信されるが、ＩＤリーダー７０から遠く離れた景品６２等からは特定ＩＤが送信されない。また、ステップＳ１２の処理を実行すると同時に、ＲＡＭ１０６の記憶内容をクリアする処理を実行しておく。
続いて、景品６２等から送信された特定ＩＤを受信して記憶する（ステップＳ１４）。この処理は、無線送受信部７８で受信した特定ＩＤ（複数の特定ＩＤの場合もある）をＲＡＭ１０６に記憶させることによって行なう。
ステップＳ１４の処理を実行すると、従業員によって特定スイッチ７２が再度操作されたか否かを監視する（ステップＳ１６）。
特定スイッチ７２が操作された場合（ステップＳ１６でＹＥＳの場合）は、ステップＳ１４で記憶した特定ＩＤ（特定ＩＤ群）をＰＯＳ５０に送信する（ステップＳ１８）。
【００２６】
続いて、ＰＯＳ５０の制御部１２０が実行する処理について説明する。図８に、制御部１２０が実行する処理のフローチャートが示されている。
制御部１２０は、会員カード４２が会員カード挿入口５８ａに挿入されたか否かを常時監視している（ステップＳ２０）。
会員カード４２が挿入された場合（ステップＳ２０でＹＥＳの場合）は、挿入された会員カード４２に記憶されている玉数（即ち遊技者が獲得した玉数）を読取る（ステップＳ２２）。なお、この処理を実行すると同時に、会員カード４２に記憶されている玉数をクリアする処理も実行する。
続いて、読取った玉数に基づいて景品数を計算する（ステップＳ２４）。ここでは、景品種類毎の景品数を計算する（即ち、遊技者が受領可能な景品種類毎の景品数を計算する）。例えば、大景品６２が５個であり、中景品６４が３個であり、小景品６６が２個であると計算される。ここでの計算手法は公知であるために詳しい説明は省略する。計算された景品種類毎の景品数はＲＡＭ１２６で記憶する。
次に、ステップＳ２４で計算された景品数を表示する（ステップＳ２６）。この処理は、計算された景品種類毎の景品数を表示部５２で表示させることによって行なう。この処理を実行することにより、従業員は、遊技者が受領可能な景品数を認識することができる。従業員は、表示された景品種類毎の景品数を景品保管場所６０から取出して遊技者に提供できるようになる。
【００２７】
ステップＳ２８では、ＩＤリーダー７０から送信された特定ＩＤを受信したか否かを監視する。この処理は、無線受信部５６においてＩＤリーダー７０から送信された特定ＩＤを受信した場合にＹＥＳとする。
特定ＩＤを受信すると（ステップＳ２８でＹＥＳの場合）、受信した特定ＩＤから景品数を計算して記憶する（ステップＳ３０）。具体的には、以下のようにして景品数を計算する。即ち、受信した特定ＩＤ毎に、ＲＯＭ１２４を検索してその特定ＩＤと対応づけられている景品種類を特定する。例えば、特定ＩＤ００００３を受信した場合には大景品６２と特定する。特定ＩＤ毎に景品種類を特定すると、景品種類毎の景品数をカウントする。これにより、従業員が景品保管場所６０から取出した景品種類毎の景品数が得られる。ここで得られた景品種類毎の景品数はＲＡＭ１２６で記憶する。
ステップＳ３２では、ステップＳ２４で計算された景品数と、ステップＳ３０で計算された景品数が一致するか否かを判別する。この判別は、景品種類毎に行なわれる。即ち、（１）ステップＳ２４で計算された大景品６２の景品数と、ステップＳ３０で計算された大景品６２の景品数とが一致するか否かを判別し、（２）ステップＳ２４で計算された中景品６４の景品数と、ステップＳ３０で計算された中景品６４の景品数とが一致するか否かを判別し、（３）ステップＳ２４で計算された小景品６６の景品数と、ステップＳ３０で計算された小景品６６の景品数とが一致するか否かを判別する。
ステップＳ３２において、全ての景品種類について一致していると判別された場合（ステップＳ３２でＹＥＳの場合）は、処理を終了する。
一方、ステップＳ３２において、いずれかの景品種類について一致しなかった場合（ステップＳ３２でＮＯの場合）は、警告音を出力する（ステップＳ３４）。これにより、「遊技者が受領可能な景品種類毎の景品数」と「従業員が景品保管場所６０から取出した景品種類毎の景品数」が異なっていることを従業員が認識できる。
【００２８】
ここでは、遊技者に景品６２等が提供されるまでの過程を説明しながら、本実施例の提供景品数チェックシステム２０がどのように機能するかについて説明する。
遊技者は、パチンコ玉数が記憶された会員カード４２を景品交換カウンタ９０に持ち込む。
景品交換カウンタ９０に配備された従業員は、遊技者が持ち込んだ会員カード４２を会員カード挿入口５８ａに挿入する。これにより、表示部５２に、遊技者が受領可能な景品種類毎の景品数が表示されることになる。
従業員は、表示部５２に表示された景品種類毎の景品数を景品保管場所６０から取出して景品交換カウンタ９０に載置する。そして、景品交換カウンタ９０に載置された景品６２等（遊技者に提供される景品）の近くでＩＤリーダー７０の特定スイッチ７２を操作する。これにより、ＩＤリーダー７０は、特定ＩＤ要求信号を送信し、景品交換カウンタ９０に載置された景品６２等の特定ＩＤを読取る。このとき、特定ＩＤ要求信号は、景品保管場所６０に保管されている景品６２等には届かない。従って、ＩＤリーダー７０は、景品交換カウンタ９０に載置された景品６２等の特定ＩＤを読取ることはできるが、景品保管場所６０にある景品６２等の特定ＩＤは読取らない。
続いて、従業員は、特定スイッチ７２を再度操作する。これにより、景品交換カウンタ９０に載置された景品６２等の特定ＩＤがＰＯＳ５０に送信される。これによりＰＯＳ５０で警告音が出力されなかった場合は、遊技者が受領可能な数の景品６２等が、景品交換カウンタ９０に載置されているということである。この場合、従業員は、景品交換カウンタ９０に載置された景品６２等を遊技者に提供する。一方、ＰＯＳ５０で警告音が出力された場合は、従業員は、景品交換カウンタ９０に載置された景品数をチェックする。これにより、従業員は、景品保管場所６０から誤った数の景品を取出したことを認識できる。本システム２０によると、遊技者に誤った数の景品６２等を提供することが防止できる。
【００２９】
（第２実施例）  ここでは第１実施例と異なる点を中心に説明する。図９に、本実施例に係る提供景品数チェックシステム２０の概略図を示す。本実施例では、従業員が携帯するＩＤリーダー７０を用いない。本実施例に係るＩＤリーダー１５０は、景品交換カウンタ９０の上面に設置されている。ＩＤリーダー１５０の上面には、景品６２等の収容箱１６０が載置される。
また、本実施例に係る景品６２等のＩＤ記憶装置６２ａ等は、特定ＩＤを常時送信し続けている。ＩＤ記憶装置６２ａ等による特定ＩＤの送信範囲は、それほど広い範囲ではなく、景品保管場所６０に保管されている景品６２等が送信している特定ＩＤは、景品交換カウンタ９０に設置されているＩＤリーダー１５０では受信できない。
【００３０】
ＩＤリーダー１５０の構成について説明する。図１０に、ＩＤリーダー１５０の構成が模式的に示されている。ＩＤリーダー１５０は、無線送受信部１５２と重量検知部１５４と制御部１７０を有する。
無線送受信部１５２は、景品６２等から送信された特定ＩＤを受信するととともに、受信された特定ＩＤをＰＯＳ５０に送信する。
重量検知部１５４は、所定重量（本実施例の場合は景品収容箱１６０の重量）以上の重量がＩＤリーダー１５０に加えられているときはｈｉｇｈ状態の信号を出力し、上記の所定重量以下の重量がＩＤリーダー１５０に加えられているときはｌｏｗ状態の信号を出力する。
制御部１７０は、ＣＰＵ１７２とＲＯＭ１７４とＲＡＭ１７６とＩ／Ｏインターフェイス１７８等を有している。ＣＰＵ１７２、ＲＯＭ１７４、及びＲＡＭ１７６と、Ｉ／Ｏ１７８は信号線１８０によって通信可能に接続されている。Ｉ／Ｏ１７８と無線送受信部１５２は、信号線１８２によって通信可能に接続されている。Ｉ／Ｏ１７８と重量検知部１５４は、信号線１８４によって通信可能に接続されている。
ＣＰＵ１７２は、ＲＯＭ１７４に記憶されている制御プログラムに従って、ＩＤリーダー１５０の動作を統括的に制御する。
ＲＯＭ１７４に記憶されている制御プログラムの中には、無線送受信部１５２で受信された特定ＩＤをＲＡＭ１７６に記憶させる処理や、ＰＯＳ５０に特定ＩＤを送信する処理等を実行するためのプログラムが含まれる。
ＲＡＭ１７６は、ワークメモリとして使用されるメイン記憶素子であって種々の情報を記憶することができる。
【００３１】
続いて、ＩＤリーダー１５０の制御部１７０が実行する処理について説明する。図１１に、制御部１７０が実行する処理のフローチャートが示されている。
制御部１７０は、重量検知部１５４からｈｉｇｈ状態の信号が出力されたか否かを常時監視している（ステップＳ４０）。この処理は、重量検知部１５４が出力する信号のレベルがｌｏｗ状態からｈｉｇｈ状態に切換えられた場合にＹＥＳとされる。
ステップＳ４０でＹＥＳとされると、ＲＡＭ１７６で記憶している特定ＩＤをクリアする（ステップＳ４２）。
続いて、景品６２等から出力された特定ＩＤを受信したか否かを監視する（ステップＳ４４）。この処理は、無線送受信部１５２で特定ＩＤを受信するとＹＥＳとされる。
ステップＳ４４でＹＥＳとされると、受信した特定ＩＤを記憶する（ステップＳ４６）。複数の特定ＩＤを受信した場合は、それぞれの特定ＩＤを累積して記憶する。
ステップＳ４８では、重量検知部１５４からｌｏｗ状態の信号が出力されたか否かを監視する。この処理は、重量検知部１５４が出力している信号のレベルがｈｉｇｈ状態からｌｏｗ状態に切換えられた場合にＹＥＳとされる。
ステップＳ４８でＹＥＳとされると、ＲＡＭ１７６に記憶している特定ＩＤ（特定ＩＤ群）をＰＯＳ５０に送信する（ステップＳ５０）。これにより、ＰＯＳ５０は、従業員が景品保管場所６０から取出した景品６２等の特定ＩＤを得ることができる（図８のステップＳ２８でＹＥＳとされる）。
【００３２】
続いて、本実施例に係る提供景品数チェックシステム２０がどのように機能するかについて説明する。
遊技者が会員カード４２を景品交換カウンタ９０に持ち込むと、従業員は、その会員カード４２を会員カード挿入口５８ａに挿入する。それと同時に、従業員は、景品収容箱１６０をＩＤリーダー１５０の上面に載置する。これにより、ＩＤリーダー１５０のＲＡＭ１７６に記憶されている特定ＩＤがクリアされることになる（図１１のステップＳ４２）。
従業員は、表示部５２に表示された景品種類毎の景品数を景品保管場所６０から取出し、取出した景品６２等をＩＤリーダー１５０の上面に載置された景品収容箱１６０に入れる。これにより、ＩＤリーダー１５０のＲＡＭ１７６に、景品収容箱１６０に入れられた景品６２等（即ち景品保管場所６０から取出された景品）の特定ＩＤが記憶されることになる（図１１のステップＳ４６）。
遊技者は、景品６２等を収容している景品収容箱１６０を持ち去る。これにより、ＩＤリーダー１５０は、ＲＡＭ１７６に記憶している特定ＩＤをＰＯＳ５０に送信することになる（図１１のステップＳ４８でＹＥＳとされてステップＳ５０の処理が実行される）。ＰＯＳ５０は、ＩＤリーダー１５０から送信された特定ＩＤを受信して、図８のステップＳ３０以降の処理を実行することになる。ＰＯＳ５０から警告音が出力されなかった場合は、遊技者が受領可能な数の景品６２等が、遊技者に提供されたことになる。一方、ＰＯＳ５０から警告音が出力された場合は、従業員は、遊技者が持ち去った景品収容箱１６０に入っている景品数をチェックする。これにより、遊技者に誤った数の景品６２等が提供されることが防止できる。
【００３３】
（第３実施例）  ここでは上記した各実施例と異なる点を中心に説明する。図１２に、本実施例の提供景品数チェックシステム２０の概略図を示す。
本実施例では、２つのＩＤリーダー１５０，２００が存在する。ＩＤリーダー１５０は、上記した第２実施例と同じものであり、ここではカウンタＩＤリーダーと呼ぶことにする。ＩＤリーダー２００は、景品保管場所６０に設置されている。ＩＤリーダー２００は、景品保管場所６０に保管されている景品６２等の特定ＩＤを読取る。ここでは、ＩＤリーダー２００のことを保管ＩＤリーダー２００と呼ぶことにする。
また、本実施例では、景品交換カウンタ９０における遊技者の存在を検知する遊技者センサ２３０が設置されている。遊技者は、遊技者センサ２３０の上面に載って景品提供サービスを受ける。遊技者センサ２３０は、所定重量（例えば１０Ｋｇ）以上の重量を検知しているときはｈｉｇｈ状態の信号を出力し、上記の所定重量以下の重量を検知しているときはｌｏｗ状態の信号を出力する。即ち、遊技者センサ２３０の上面に遊技者が載っているときはｈｉｇｈ状態の信号を出力し、遊技者センサ２３０の上面に遊技者が載っていないときはｌｏｗ状態の信号を出力する。
なお、カウンタＩＤリーダー１６０の機能は上記した第２実施例と同じである。即ち、景品収容箱１６０に収容された景品６２等の特定ＩＤを読取ることができる。そして、カウンタＩＤリーダー１６０の上面から景品収容箱１６０が取り除かれたときに、読取った特定ＩＤをＰＯＳ５０に送信する。
【００３４】
続いて、保管ＩＤリーダー２００の構造について説明する。図１３に、保管ＩＤリーダー２００の構造が模式的に示されている。保管ＩＤリーダー２００は、無線送受信部２０２と制御部２１０を有する。
無線送受信部２０２は、遊技者センサ２３０から送信されている信号を受信する。また、景品保管場所６０にある景品６２等の特定ＩＤを受信する。また、ＰＯＳ５０に特定ＩＤを送信する。
制御部２１０は、ＣＰＵ２１２とＲＯＭ２１４とＲＡＭ２１６とＩ／Ｏインターフェイス２１８等を有している。ＣＰＵ２１２、ＲＯＭ２１４、及びＲＡＭ２１６と、Ｉ／Ｏ２１８は信号線２２０によって通信可能に接続されている。Ｉ／Ｏ２１８と無線送受信部２０２は、信号線２２２によって通信可能に接続されている。
ＣＰＵ２１２は、ＲＯＭ２１４に記憶されている制御プログラムに従って、保管ＩＤリーダー２１０の動作を統括的に制御する。
ＲＯＭ２１４に記憶されている制御プログラムの中には、遊技者センサ２３００から送信される信号のレベルに応じた処理や、ＰＯＳ５０に特定ＩＤを送信する処理等を実行するためのプログラムが含まれる。
ＲＡＭ２１６は、ワークメモリとして使用されるメイン記憶素子であって種々の情報を記憶することができる。
【００３５】
図１４を参照して、保管ＩＤリーダー２００の制御部２１０が実行する処理について説明する。図１４は、制御部２１０が実行する処理のフローチャートである。
制御部２１０は、遊技者センサ２３０からｈｉｇｈ状態の信号が出力されたか否かを常時監視している（ステップＳ６０）。この処理は、遊技者センサ２３０から出力されている信号のレベルがｌｏｗ状態からｈｉｇｈ状態に切換えられるとＹＥＳとされる。
ステップＳ６０でＹＥＳとされると、ＲＡＭ２１６の記憶内容をクリアする（ステップＳ６２）。
続いて、景品保管場所６０にある景品群の特定ＩＤを全て読取る（ステップＳ６４）。この処理は、景品６２等のＩＤ記憶装置６２ａ等から送信された特定ＩＤを無線送受信部２０２で受信することによって行なう。受信した特定ＩＤ群はＲＡＭ２１６の第１所定アドレスで記憶しておく。
ステップＳ６４の処理を実行すると、遊技者センサ２３０の出力信号のレベルを監視する（ステップＳ６６）。この処理は、遊技者センサ２３０から出力されている信号のレベルがｈｉｇｈ状態からｌｏｗ状態に切換えられるとＹＥＳとされる。
ステップＳ６６でＹＥＳとされると、景品保管場所６０にある景品群の特定ＩＤを全て読取る（ステップＳ６８）。この処理は、上記のステップＳ６４と同様の処理である。ここで読取られた特定ＩＤ群はＲＡＭ２１６の第２所定アドレスで記憶しておく。
ステップＳ７０では、ステップＳ６４で記憶した特定ＩＤ群の中から、ステップＳ６８で記憶した特定ＩＤ群に含まれない特定ＩＤを特定する処理を実行する。この処理は、上記の第１所定アドレスの記憶内容と第２所定アドレスの記憶内容を参照することによって実行する。例えば、第１所定アドレスには特定ＩＤ００００５が記憶されているが、第２所定アドレスには特定ＩＤ０００５が記憶されていない場合は、ステップＳ７０で特定ＩＤ００００５が特定されることになる。
ステップＳ７２では、ステップＳ７０で特定した特定ＩＤ（特定ＩＤ群）をＰＳＯ５０に送信する。
【００３６】
次に、本実施例におけるＰＯＳ５０の制御部１２０が実行する処理について説明する。図１５に、制御部１２０が実行する処理のフローチャートが示されている。
ステップＳ８０〜Ｓ８６までの処理は、図８のステップＳ２０〜Ｓ２６までの処理と同じであるために、説明を省略する。
ステップＳ８８では、カウンタＩＤリーダー１６０から送信された特定ＩＤを受信したか否かを監視する。
ステップＳ８８でＹＥＳとされると、受信した特定ＩＤから景品種類毎の景品数を計算する（ステップＳ９０）。計算された景品種類毎の景品数は、ＲＡＭ１２６（図５参照）で記憶する。ここで計算された景品数は、景品交換カウンタ９０に載置された景品数である。
ステップＳ９２では、保管ＩＤリーダー２００から送信された特定ＩＤを受信したか否かを監視する。即ち、図１４のステップＳ７２で送信された特定ＩＤを受信したか否かを監視する。
ステップＳ９２でＹＥＳとされると、受信した特定ＩＤから景品種類毎の景品数を計算する（ステップＳ９４）。計算された景品種類毎の景品数は、ＲＡＭ１２６で記憶する。ここで計算された景品数は、従業員が景品保管場所６０から取出した景品数である。
続いて、ステップＳ８４で計算された景品種類毎の景品数と、ステップＳ９０で計算された景品種類毎の景品数が一致しているか否かを判別するとともに、ステップＳ８４で計算された景品種類毎の景品数と、ステップＳ９４で計算された景品種類毎の景品数が一致しているか否かを判別する（ステップＳ９６）。即ち、遊技者が受領可能な景品数と、景品交換カウンタ９０に載置された景品数と、従業員が景品保管場所６０から取出した景品数とが一致しているか否かを判別する。
ステップＳ９６でＹＥＳの場合は処理を終了する。一方、ステップＳ９６でＮＯの場合は警告音を出力する（ステップＳ９８）。
【００３７】
ここでは、本実施例に係る提供景品数チェックシステム２０がどのように機能するかについて説明する。
遊技者が会員カード４２を景品交換カウンタ９０に持ち込むと、従業員は、その会員カード４２を会員カード挿入口５８ａに挿入する。それと同時に、従業員は、景品収容箱１６０をＩＤリーダー１５０の上面に載置する。このとき、遊技者が遊技者センサ２３０の上面に載るために、保管ＩＤリーダー２００は図１４のステップＳ６２，Ｓ６４の処理を実行することになる。即ち、保管ＩＤリーダー２００には、遊技者が景品交換カウンタ９０に現われたときに景品保管場所６０にある全ての景品群の特定ＩＤが記憶されることになる。
従業員は、表示部５２に表示された景品種類毎の景品数を景品保管場所６０から取出し、取出した景品６２等をカウンタＩＤリーダー１５０の上面に載置された景品収容箱１６０に入れる。これにより、カウンタＩＤリーダー１５０のＲＡＭ１７６に、景品収容箱１６０に入れられた景品６２等の特定ＩＤが記憶されることになる（図１１のステップＳ４６）。
遊技者は、景品６２等が入れられた景品収容箱１６０を持ち去る。これにより、カウンタＩＤリーダー１５０からＰＯＳ５０に特定ＩＤが送信される（図１１のステップＳ５０）。ＰＯＳ５０は、カウンタＩＤリーダー１５０から送信された特定ＩＤを受信することになる（図１５のステップＳ８８でＹＥＳ）。そして、ＰＯＳ５０は、受信した特定ＩＤに基づいて、図１５のステップＳ９０の処理を実行する。
遊技者が景品収容箱１６０を持って景品交換カウンタ９０から立ち去ると、保管ＩＤリーダー２００は、景品保管場所６０にある景品群の特定ＩＤを全て読取って記憶する（図１４のステップＳ６８）。即ち、保管ＩＤリーダー２００には、遊技者が景品交換カウンタ９０から立ち去ったときに景品保管場所６０にある全ての景品群の特定ＩＤが記憶される。そして、保管ＩＤリーダー２００は、従業員が景品保管場所６０から取出した景品６２等の特定ＩＤを特定し（図１４のステップＳ７０）、特定した特定ＩＤをＰＯＳ５０に送信する（図１４のステップＳ７２）。これにより、ＰＯＳ５０は、保管ＩＤリーダー２００から送信された特定ＩＤを受信し（図１５のステップＳ９２でＹＥＳ）、図１５のステップＳ９４以降の処理を実行する。
ＰＯＳ５０から警告音が出力されなかった場合は、遊技者が受領可能な数の景品６２等が、遊技者に提供されたことになる。一方、ＰＯＳ５０から警告音が出力された場合は、従業員は、遊技者が持ち去った景品収容箱１６０に入っている景品数をチェックする。これにより、遊技者に誤った数の景品６２等が提供されることを防止できる。
景品保管場所６０から取出した景品６２等を従業員が不正に着服した場合は、遊技者が受領可能な景品数（図１５のステップＳ８４で計算された景品数）と、景品交換カウンタ９０に載置された景品数（図１５のステップＳ９０で計算された景品数）とが一致しなくなる。従って、従業員が景品６２等を不正着服した場合にも警告音が出力される。このために、従業員の不正着服を防止できる。
【００３８】
（第４実施例）  ここでは、第１実施例と異なる点を中心に説明する。本実施例では、各景品６２等にＩＤ記憶装置（図１の６２ａ等）が備えられていない。本実施例では、景品交換カウンタ９０の上面に、大景品置き台３００と中景品置き台３１０と小景品置き台３２０が設置されている。大景品置き台３００には、景品保管場所６０から取出された大景品６２が載置される。中景品置き台３１０には、景品保管場所６０から取出された中景品６２が載置される。小景品置き台３２０には、景品保管場所６０から取出された小景品３３０が載置される。
【００３９】
大景品置き台３００の構造について説明する。図１７は、大景品置き台３００の構造を簡単に示した図である。
大景品置き台３００は、上部本体部材４００と下部本体部材４０２と液体充填シート４０８とピエゾ抵抗素子４０４と制御部４０６等から構成されている。上部本体部材４００には大景品６２が置かれる。下部本体部材４０２は、ピエゾ抵抗素子４０４と制御部４０６を収納するケーシングとして機能する。液体充填シート４０８は、上部本体部材４００と下部本体部材４０２との間に配置されている。液体充填シート４０８の上面は上部本体部材４００に接触している。液体充填シート４０８の下面は下部本体部材４０２に接触している。下部本体部材４０２の上面中央には、略円形の孔４０２ａが設けられている。その孔４０２ａには、ピエゾ抵抗素子４０４が配置されている。ピエゾ抵抗素子４０４の上部は、液体充填シート４０８に接触している。ピエゾ抵抗素子４０４の下方に、制御部４０６が配置されている。
上部本体部材４００に大景品６２を載置すると、液体充填シート４０８を介してピエゾ抵抗素子４０４の上部に圧力が加わる。ピエゾ抵抗素子４０４は、圧力が加えられると抵抗値が変化する。ピエゾ抵抗素子４０４の抵抗値は制御部４０６に入力される。制御部４０６は、入力された抵抗値から載置されている大景品６２の総重量を導き出すことができる。
【００４０】
図１８は、大景品置き台３００の制御系の構成を簡単に示す。制御部４０６は、増幅部４１０と信号処理部４１２と無線送信部４１４とＩＤ記憶部４１６と電源部４２０を有している。ピエゾ抵抗素子４０４は、増幅部４１０と接続されている。増幅部４１０は、信号処理部４１２と接続されている。信号処理部４１２には、ＩＤ記憶部４１６と無線送信部４１４が接続されている。ＩＤ記憶部４１６には、大景品置き台３００を特定するＩＤが記憶されている。この実施例のＩＤ記憶部４１６が記憶している特定ＩＤは、大景品置き台３００の符号と同じ「３００」とする。
無線送信部４１４は、コイル状に形成されたアンテナを有している。そのアンテナを介して情報が送信される。無線送信部４１４には、いわゆるＢｌｕｅｔｏｏｔｈモジュール（ワイヤレス通信モジュール）を利用することができる。電源部４２０には、小型ボタン電池が使用されている。
【００４１】
ピエゾ抵抗素子４０４における抵抗値は、増幅部４１０を介して信号処理部４１２に伝達されている。信号処理部４１２には、ピエゾ抵抗素子４０４における抵抗値が常時入力されている。この信号処理部４１２には、抵抗値と重量との関係が対応づけられている。このため、信号処理部４１２は、抵抗値から重量を導き出すことができる。信号処理部４１２は、無線送信部４１４を介してＰＯＳ５０に重量情報を送信する。信号処理部４１２は、重量がゼロから大きく増加したときに重量情報を送信する。即ち、大景品置き台３００に大景品６２が載置されていない状態から大景品６２が載置された状態になると、載置された大景品６２の総重量を送信する。送信される重量情報には、ＩＤ記憶部４１６で記憶されている特定ＩＤが対応づけられる。例えば、重量１００ｇとＩＤ「３００」とを対応づけた情報がＰＯＳ５０に送信される。
【００４２】
中景品置き台３１０や小景品置き台３２０も、上記した大景品置き台３００と同様の構造をしているが、ＩＤ記憶部が記憶している特定ＩＤが異なる。本実施例では、中景品置き台３１０のＩＤ記憶部が記憶している特定ＩＤは「３１０」とし、小景品置き台３２０のＩＤ記憶部が記憶している特定ＩＤは「３２０」とする。従って、中景品置き台３１０は、中景品６４が載置されると、載置された中景品６４の総重量と特定ＩＤ「３１０」を対応づけてＰＯＳ５０に送信する。また、小景品置き台３２０は、小景品６６が載置されると、載置された小景品６６の総重量と特定ＩＤ「３２０」を対応づけてＰＯＳ５０に送信する。
【００４３】
本実施例のＰＯＳ５０のＲＯＭ１２４（図５参照）には、第１実施例のように景品種類と特定ＩＤとが対応づけて記憶されていない。ＲＯＭ１２４には、次の３つの情報が記憶されている。特定ＩＤ「３００」と大景品一つ当りの重量Ｘが対応づけて記憶されている。特定ＩＤ「３１０」と中景品一つ当りの重量Ｙが対応づけて記憶されている。特定ＩＤ「３２０」と小景品一つ当りの重量Ｚが対応づけて記憶されている。
【００４４】
続いて、本実施例のＰＯＳ５０の制御部１２０（図５参照）が実行する処理を説明する。図１９に、制御部１２０が実行する処理のフローチャートが示されている。
ステップＳ１００〜Ｓ１０６までの処理は、図８のステップＳ２０〜Ｓ２６までの処理と同じであるために、説明を省略する。
ステップＳ１０８では、景品置き台３００，３１０，３２０から送信された重量情報を受信したか否かを監視する。
ステップＳ１０８でＹＥＳとされると、受信した重量情報から景品種類毎の景品数を計算する（ステップＳ１１０）。例えば、特定ＩＤ「３００」と重量Ｍとが対応づけられた重量情報を受信した場合は、重量Ｍを大景品６２の単位重量Ｘで除することによって、大景品置き台３００に載置された大景品６２の景品数を計算する。また、例えば、特定ＩＤ「３１０」と重量Ｎとが対応づけられた重量情報を受信した場合は、重量Ｎを中景品６４の単位重量Ｙで除することによって、中景品置き台３１０に載置された中景品６４の景品数を計算する。ステップＳ１１０の処理を実行することによって、各景品置き台３００，３１０，３２０に載置された景品数がそれぞれ算出されることになる。計算された景品種類毎の景品数は、ＲＡＭ１２６（図５参照）で記憶する。
ステップＳ１１２では、ステップＳ１０４で計算された景品種類毎の景品数と、ステップＳ１１０で計算された景品種類毎の景品数とが一致しているか否かを判別する。即ち、遊技者が受領可能な景品数と、従業員が景品保管場所６０から取出した景品数とが一致しているか否かを判別する。
ステップＳ１１２でＹＥＳの場合は処理を終了する。一方、ステップＳ１１２でＮＯの場合は警告音を出力する（ステップＳ１１４）。これにより、従業員は、景品置き台３００，３１０，３２０に載置された景品数をチェックすることができる。遊技者に誤った数の景品６２等が提供されることを防止できる。
【００４５】
上記した各実施例によると、景品払出し機（特許文献１参照）を用いずに、従業員の景品提供ミスを防止できる。
上記した各実施例のシステム２０は、景品払出し機を導入するよりも低コストで実施できる。また、景品払出し機を設置するよりも少ないスペースで実施できる。
【００４６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００４７】
ここでは、上記の実施例の変形例をいくつか示しておく。
（１）上記の各実施例では、計数機４０において会員カード４２に玉数を記憶させている。しかしながら、玉数が記憶されたレシートやカードを計数機４０から出力するようにしてもよい。この場合、遊技者は、レシートやカードを景品交換カウンタ９０に持ち込むことによって、景品６２等の提供サービスを受けることができる。
（２）上記の第１実施例では、景品保管場所６０から取出された景品数をＰＯＳ５０が計算している（図８のステップＳ３０）。この処理は、ＩＤリーダー７０が実行するようにしてもよい。この場合、ＩＤリーダー７０は、景品種類と特定ＩＤとを対応づけて記憶しておく必要がある。ＩＤリーダー７０は、自身が計算した景品種類毎の景品数をＰＯＳ５０に送信するようにする。ＰＯＳ５０は、遊技者が受領可能な景品数と、ＩＤリーダー７０から送信された景品数とを比較し、両者が一致しない場合は警告音を出力する。
（３）遊技者が受領可能な景品数と、景品保管場所６０から取出された景品数が一致しない場合における報知の態様はどのようになされてもよい。例えば、そのときに景品交換サービスを実施した従業員を特定できる情報を記憶するだけでもよい。また、音による報知だけでなく光や表示による報知を行なってもよい。
（４）第３実施例の遊技者センサ２３０は、重量を検知するセンサでなくてもよい。例えば、赤外線センサ、温度センサ等を用いてもよい。
（５）上記した各実施例の景品６２等は、いわゆる特殊景品であることが好ましい。この場合、特定ＩＤを外部から読取可能に記憶している特殊景品自体も本発明の創作物である。
【００４８】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】第１実施例の提供景品数チェックシステムの概略図である。
【図２】ＩＤ記憶装置の構成を模式的に示す。
【図３】ＩＤリーダーの正面図である。
【図４】ＩＤリーダーの構成を模式的に示す。
【図５】ＰＯＳの構成を模式的に示す。
【図６】ＩＤ記憶装置が実行する処理のフローチャートを示す。
【図７】ＩＤリーダーが実行する処理のフローチャートを示す。
【図８】ＰＯＳが実行する処理のフローチャートを示す。
【図９】第２実施例の提供景品数チェックシステムの概略図である。
【図１０】ＩＤリーダーの構成を模式的に示す（第２実施例）。
【図１１】ＩＤリーダーが実行する処理のフローチャートを示す（第２実施例）。
【図１２】第３実施例の提供景品数チェックシステムの概略図である。
【図１３】保管ＩＤリーダーの構成を模式的に示す。
【図１４】保管ＩＤリーダーが実行する処理のフローチャートを示す。
【図１５】ＰＯＳが実行する処理のフローチャートを示す（第３実施例）。
【図１６】第４実施例の提供景品数チェックシステムの概略図である。
【図１７】大景品置き台の構成を模式的に示す。
【図１８】大景品置き台の制御系の構成を模式的に示す。
【図１９】ＰＯＳが実行する処理のフローチャートを示す（第４実施例）。
【符号の説明】
２・・遊技エリア
４・・景品交換エリア
２０・・提供景品数チェックシステム
３０・・遊技島
３１，３２・・遊技台
３８・・玉箱
４０・・計数機
４２・・会員カード
５０・・ＰＯＳ
６０・・景品保管場所
６２・・大景品
６４・・中景品
６６・・小景品
６２ａ，６４ａ，６６ａ・・ＩＤ記憶装置
７０・・ＩＤリーダー
７２・・特定スイッチ
７６・・数字キー
７８・・無線送受信部
８０・・信号処理部
８２・・無線送受信部
８４・・ＩＤ記憶部
８６・・電源部
９０・・景品交換カウンタ
１００・・ＩＤリーダーの制御部
１２０・・ＰＯＳの制御部
【図１】
2005034198.tif 000003
【図２】
2005034198.tif 000004
【図３】
2005034198.tif 000005
【図４】
2005034198.tif 000006
【図５】
2005034198.tif 000007
【図６】
2005034198.tif 000008
【図７】
2005034198.tif 000009
【図８】
2005034198.tif 000010
【図９】
2005034198.tif 000011
【図１０】
2005034198.tif 000012
【図１１】
2005034198.tif 000013
【図１２】
2005034198.tif 000014
【図１３】
2005034198.tif 000015
【図１４】
2005034198.tif 000016
【図１５】
2005034198.tif 000017
【図１６】
2005034198.tif 000018
【図１７】
2005034198.tif 000019
【図１８】
2005034198.tif 000020
【図１９】
2005034198.tif 000021